(57)【特許請求の範囲】
【請求項１】
生体電気信号センサ用の装置であって、
旋回および回転可能なホルダと、
電極セットを有する前記ホルダに接続され曲線の輪郭を有する生体電気信号センサと、を備え、
前記電極セットが、
導電性付勢機構、開口部、および接続部を有する基部と、
乾式電極であり曲線の輪郭を有する曲線輪郭電極であって、ユーザの頭部との接触を維持する突形状を有するキャップ部と、前記キャップ部の前記突形状とは反対側から突出するポスト部であって、前記突出の形状の方向に突出する保持用隆起部を有するポスト部であり、第１と第２のポスト部を備え、前記第１のポスト部は、前記第２のポスト部の長さとは異なる長さを有し、その結果、前記曲線輪郭電極が前記ユーザの前記頭部に適用された際に、前記第２のポスト部によって前記ユーザの前記頭部に加えられる圧力とは異なる圧力を、前記ユーザの前記頭部に加える、ポスト部と、を備え、前記突形状を有するキャップ部と前記ポスト部とが電気的に接続される曲線輪郭電極と、を備え、
前記曲線輪郭電極は、前記基部の前記開口部に挿入され、
前記曲線輪郭電極は、前記保持用隆起部により前記基部内に保持されることができ、
前記曲線輪郭電極の前記保持用隆起部を有する前記ポスト部は、前記付勢機構と係合するとともに、前記付勢機構と電気的に接続され、
前記曲線輪郭電極の前記突形状は、一つの球面形状を有し、
前記導電性付勢機構は、前記曲線輪郭電極を前記基部から離れる方向へ付勢するように構成され、
前記曲線輪郭電極により検出される信号は、前記曲線輪郭電極と前記電気的に接続された付勢機構とを介して前記接続部に伝達され、
前記曲線輪郭電極は、前記基部の前記開口部内において旋回および回転可能である、生体電気信号センサ用の装置。
【請求項２】
請求項１記載の装置であって、さらに、
ヘッドセットを備え、
前記ホルダは前記ヘッドセットに接続されている、装置。
【請求項３】
請求項２記載の装置であって、
前記ヘッドセットは、音声スピーカおよび複数の音声制御部を含む、装置。
【請求項４】
請求項３記載の装置であって、
前記ホルダは、前記ヘッドセットの一体化された構成要素である、装置。
【請求項５】
請求項４記載の装置であって、
前記ホルダが前記ヘッドセットのイヤピースに一体化されている、装置。
【請求項６】
請求項５記載の装置であって、
フレキシブルアームを介して、前記ヘッドセットに前記ホルダが一体化されている、装置。
【請求項７】
請求項１の装置であって、
前記突形状を有する前記キャップ部を備える前記曲線輪郭電極は、段階的な外縁を備えた単一形状の突部を有する、装置。
【請求項８】
請求項１記載の装置であって、
前記曲線輪郭電極は、交換可能である、装置。
【請求項９】
請求項１記載の装置であって、
乾式電極を備える前記曲線輪郭電極は、導電性繊維で覆われている、装置。
【請求項１０】
請求項９記載の装置であって、
前記曲線輪郭電極を覆っている前記導電性繊維は、前記接続部に電気的に接続されている、装置。
【請求項１１】
請求項１０記載の装置であって、
前記曲線輪郭電極を覆っている前記導電性繊維は、前記導電性繊維を前記接続部に接続する、金属台部、金属ワイヤループ、および糸結束ポスト付き導電糸を含む集合から選択される接続手段によって、前記接続部に電気的に接続されている、装置。
【発明の詳細な説明】
【背景技術】
【０００１】
［関連出願の相互参照］
本願は、出典を明記することにより本願明細書の一部とした２００８年９月１２日提出の米国仮特許出願第１２／２８３，６１３号（代理人整理番号ＮＥＵＲＰ０１０）「曲線輪郭電極」に基づく優先権を主張する。
【０００２】
電極は、一般に周知のものである。例えば、生体電気信号電極は、脳波および筋活動電位等の人体の電気信号を測定するために使用することができる。
【０００３】
生体電気信号（脳波等）を測定するための公知の電極の殆どは、使用者の皮膚および／または（能電図：Electroencephalogram（ＥＥＧとも呼ばれる）のために）使用者の頭部表面に電極を密着させて貼り付けるための特別な処理または機構を要する。脳波信号用の通常の電極は、平坦な円盤状の装置であり、一般に平坦であるが、場合によっては、センサが人毛を通過できるようにとげ、スパイク（spike）を有するか、あるいは皮膚を貫通する針を使用しており、および／または、導電性ゲル用の空洞を含む。例えば、脳波を測定するための表面電極は、一般には、導電性ゲルの使用（例えば、導電性ゲル用の空洞）により湿潤させた電極、針電極、および／または、使用者の頭部の皮膚／表面との密着を維持する接着機構を使用して、他の形で頭部に貼り付けた電極である。
【０００４】
そのため、使用者の頭部との密着を維持可能な乾式電極であって、こうした相対的に侵襲性であり、面倒であり、および／または不快である他の手法（例えば、ゲルまたは湿式電極、針またはスパイク電極、および／または電極を使用者の頭部に貼り付ける接着剤）を使用する必要がないものを提供することが望ましい。
【０００５】
したがって、生体電気信号用曲線輪郭電極を開示する。例えば、曲線輪郭生体電気信号電極は、生体電気信号を感知するための、快適で安定した皮膚／頭部との接触を可能にし、こうした使用者の皮膚／頭部との安定かつ密接な接触は、電極の移動および／または使用者の皮膚／頭部と密着していない電極により生じるノイズを最小化するために、重要となる。曲線輪郭電極により、ヘッドセット等の電極ホルダの設計も簡略化され（例えば、ヘッドセットのイヤピース内に一体化、および／またはヘッドセットと一体化されたアームの使用）、様々なサイズ、形状、および輪郭を有する使用者の身体に適合するようになる。例えば、曲線輪郭電極は、ホルダ（例えば、図６に示したフレキシブル前額部センサアーム６１０）を用いて使用者の頭部との接触を維持することが可能であり、曲線輪郭電極は、ヘッドセット（例えば、図１０に示したセンサヘッドセット１０００）に接続されたフレキシブルホルダの端部に取り付けることができる。
【０００６】
例えば、開示した曲線輪郭電極は、後述するように、表面電極を使用者の皮膚／頭部に接触した状態に維持するための、以下に記載および例示した電極構造に特に応用可能である。しかしながら、曲線輪郭電極セットは、後述するものとは異なるものの本願明細書に開示した電極セットの範囲に含まれる要素と共に組み立てまたは製造可能であるため、さらに高い有用性を有することは理解されよう。さらに、開示した曲線輪郭電極は、あらゆる種類の生体電気信号センサ機器、処理、および／または用途向けに使用可能であることも理解されよう。
【０００７】
一実施形態において、曲線輪郭生体電気信号電極は、成形突部（例えば、曲線輪郭電極）を含むため、平坦ではない導電面を有する。導電性は、電極を作成する材料によるもの、あるいは、基材上の導電性材料の被覆およびメッキによるものとなる。一実施形態において、曲線輪郭電極は、付加的な機構を含んでおり、これにより電線の取り付けが可能となり、および／または、電極ホルダ（例えば、コンピュータ、携帯コンピュータ装置、電話機、携帯音楽プレーヤ、娯楽システム、および／またはテレビゲームシステムで使用するヘッドセット）を備えたセンサ、プローブ、あるいは他のセンサ関連計測機器に電極を固定して取り付ける。
【０００８】
一実施形態において、曲線輪郭生体電気信号電極は、生体電気信号回路に接続するワイヤに取り付けられる。その後、電極を（例えば、図１０に示したセンサヘッドセット１０００を使用して）使用者の身体に取り付けて、皮膚接触を形成する。取り付け処理中には、従来の一般的な電極の平坦円盤センサとは異なり、電極の輪郭を使用して、接触を失うことなく、遥かに広い取り付け範囲内で電極の旋回(pivoted)、回転(rotated)、または角度付け(angled)が可能となる。例えば、曲線輪郭生体電気信号電極では、装着者の体のサイズおよび／または形状に電極を容易に適合させることが可能であり、従来の平坦電極により可能になるものと比べ、遥かに広範囲で電極の回転、旋回、および角度付けが可能となる。
【０００９】
本発明は、多数の方法で実現可能である。本願明細書において、こうした実施例、あるいは本発明が取り得る他の任意の形態は、手法および／または実施形態と呼ばれる場合がある。
【図面の簡単な説明】
【００１０】
本発明の様々な実施形態を、以下の詳細な説明と添付図面とにおいて開示する。
【００１１】
【図１】クォータードーム曲線輪郭電極の各図を示す、曲線輪郭電極の実施形態の図である。
【００１２】
【図２】ハーフドーム曲線輪郭電極の各図を示す、曲線輪郭電極の実施形態の図である。
【００１３】
【図３】曲線輪郭電極の他の様々な形状を示す実施形態の図である。
【００１４】
【図４】電極セットの分解組立図を示す実施形態の図である。
【００１５】
【図５】電極セットの分解組立図を示す別の実施形態の図である。
【００１６】
【図６】導電性繊維を含む曲線輪郭電極の側面図および上面図を示す、曲線輪郭電極の実施形態の図である。
【００１７】
【図７】導電性繊維を含む曲線輪郭電極の側面図および上面図を示す、曲線輪郭電極の別の実施形態の図である。
【００１８】
【図８】導電性繊維を含む曲線輪郭電極の側面図および上面図を示す、曲線輪郭電極の別の実施形態の図である。
【００１９】
【図９】前額部センサアームの実施形態を示す図である。
【００２０】
【図１０】センサヘッドセットの実施形態を示す図である。
【発明を実施するための形態】
【００２１】
以下、本発明の１つ以上の実施形態を、本発明の原理を示す各添付図と併せて詳細に説明する。本発明を、こうした実施形態に関連して説明するが、本発明は、如何なる実施形態にも限定されない。本発明の範囲は、特許請求の範囲のみに限定され、本発明は、多数の代替物、変形例、および等価物を包含する。以下の説明では、本発明を完全に理解するために多数の具体的な詳細について述べる。こうした詳細は、例示を目的とするものであり、本発明は、こうした具体的な詳細の一部または全部が無くとも、特許請求の範囲に従って実現し得る。明確にする目的から、本発明に関する技術分野において公知の技術資料については、本発明を不必要に曖昧にしないために詳細な説明を省略する。
【実施例】
【００２２】
図１は、クォータードーム曲線輪郭電極(quarter dome contoured electrode)の各図を示す、曲線輪郭電極の実施形態の図である。図１に図示したように、曲線輪郭電極の側面図１１０は、クォータードーム電極の突形状を示している。上面図１２０は、クォータードーム状電極（例えば、四分の一球面形状電極）の上面を示している。別の側面図１３０は、ワイヤの取り付けと、曲線輪郭電極信号センサハウジングへの物理的な装着および取り付けとを可能にする付加的な構造の例を示している。
【００２３】
図２は、ハーフドーム曲線輪郭電極の各図を示す、曲線輪郭電極の実施形態の図である。図２に図示したように、曲線輪郭電極の側面図２１０は、ハーフドーム電極（例えば、半球面形状電極）の突形状を示している。上面図２２０は、ハーフドーム状電極の上面を示している。一実施形態において、曲線輪郭電極は、使用者の皮膚／頭部との接触を維持するための突起をもたらす球面形状、または他の何らかの球面形状の変形を含む。
【００２４】
図３は、曲線輪郭電極の他の様々な形状を示す実施形態の図である。しずく状(tear drop shaped)電極３１０は、曲線輪郭電極の一実施形態として示しており、図示したように突形状を含む。楕円状電極３２０は、曲線輪郭電極の一実施形態として示しており、図示したように突形状を含む。長方形状電極３３０は、曲線輪郭電極の一実施形態として示しており、図示したように突形状を含む。
【００２５】
図４は、電極セットの分解組立図を示す実施形態の図である。図４に示したように、電極セット４２０は、基本部４２１と電極４２２とを含む２つの分離可能な部分を含み、基部および電極は、電極の取り外しおよび交換等のために、互いに分離することができる。基部は、上部カバー４２４、バネ等の付勢機構４２６、基部４２８、および基底部４３０を含む。基底部４３０は、その歯が基部４２８を通過する状態となり、基底部と上部カバー４２４との間に付勢機構を閉じ込めると共に、（歯を用いて）基底部自体を上部カバー４２４に対して固定する。基底部４３０および上部カバー４２４は、金属または任意の導電性材料により作成し得る。
【００２６】
図４に示したように、電極４２２は、取り外しおよび交換可能であり、さらに、電極キャップ部４４０と、保持用隆起部４４３を備えた電極ポスト部４４２とを含む。一実施形態において、電極４２２は、曲線の輪郭を有する。一実施形態において、電極キャップ部４４０は、曲線の輪郭を有する。電極ポスト部４４２は、上部カバー４２４内へ圧入可能であり、これにより、付勢機構４２６と係合して、電極を基部４２８から離れる方向へ付勢し、保持用隆起部４４３は、上部カバーに押し付けられるようになる。電極を基部４２８から離れる方向で付勢することは、組立時、電極セット４２０を使用者の皮膚に押し付けることが可能であり、バネ４２６により使用者の皮膚との接続が維持されることを意味する。したがって、電極４２２が基部４２８から離れる方向へ付勢されることで、電極は、電極が配置される使用者の皮膚／頭部の輪郭に合わせて、任意の方向へ旋回および回転させることが可能となり、これにより、使用者の皮膚／頭部と電極（例えば、曲線輪郭電極キャップ部４４０を有する電極４４２）との平面接触が維持される。付勢機構は、収縮しながらも、電極セットが使用者の皮膚を圧迫する関係を維持可能であることから、電極を基部４２８から離れる方向で付勢することにより、組立済み電極セット４２０を使用者の皮膚に押し付けて取り付けることも可能となる。
【００２７】
一実施形態において、電極は、銀塩化銀表面電極あるいは銀または金メッキ表面電極にすることが可能なボタン型電極である。ボタン型電極は、乾式または湿式（および／または使い捨て）電極にすることができる。動作中、電極により測定信号に基づいて生成される電流は、電極４２２（導電性）および付勢機構４２６（金属または導電性にすることが可能）を通過して、接続部４５２へ至る。電極セット４２０において、電極４２２は、使用者の皮膚／頭部に異なる圧力を加え得るように、一本以上の長さの異なる電極ポスト部４４２を有することができる。図４に示したように、基部４２８は、さらに、プリント基板上の回路等の一組の回路４５０と、電極セット４２０内の一組の回路４５０（例えば、ＡＳＩＣ）を生体アンプ（図示せず）に接続するワイヤ等の接続部４５２とを含み、電極４２２により検出された生体電気信号を処理できるようになる。
【００２８】
図５は、電極セットの分解組立図を示す別の実施形態の図である。図示したように、本実施形態では、図４のバネ組立体関連機構の代わりとして、電極組立体は、キャップ５１０と、螺旋ネジ山５３０を含むポスト５２０とを備えたネジ５０５を含む。この例において、ネジ５０５は、保持用ネジ山５４０を備えた開口部５６０を有する基部５５０に接続しており、これにより、ナットおよびボルトのメカニズムと同様の螺旋ネジ山５３０および保持用ネジ山５４０を介して、ネジ５０５を基部５５０に接続させて、電極セット組立体を、例えばセンサヘッドセットに固定することができる。基部５５０は、電極セットに一体化および／または電気的に連通させた回路（図示せず）を接続するワイヤ等の接続部５７０を含む。一実施形態において、電極の旋回および回転は、センサヘッドセットに接続されたフレキシブル前額部センサアームによりもたらされる。一実施形態において、電極の旋回および回転は、センサヘッドセットに接続された旋回および回転可能なイヤピースによりもたらされる。
【００２９】
図６は、導電性繊維６３５を含む曲線輪郭電極の側面図６１０および上面図６２０を示す、曲線輪郭電極の実施形態の図である。側面図６１０および上面図６２０に共に示したように、曲線輪郭電極は、導電性繊維６３５に覆われた成形突部６２５を含む。上面６２０を参照すると、導電糸６４０が導電性繊維６３５に接続されており、導電糸６４０は、接続線６６０に接続するための糸結束機構６５０に接続されている。
【００３０】
図７は、導電性繊維７３５を含む曲線輪郭電極の側面図７１０および上面図７２０を示す、曲線輪郭電極の別の実施形態の図である。側面図７１０および上面図７２０に共に示したように、曲線輪郭電極は、導電性繊維７３５に覆われた曲線輪郭台部(riser)７４０を含む。さらに、図示したように、導電ワイヤループ７５０が、接続線７６０に接続される。
【００３１】
図８は、導電性繊維８３５を含む曲線輪郭電極の側面図８１０および上面図８２０を示す、曲線輪郭電極の別の実施形態の図である。側面図８１０および上面図８２０に共に示したように、曲線輪郭電極は、導電性繊維８３５に覆われ、接続線８６０に接続された曲線輪郭金属板８４０を含む。
【００３２】
図９は、前額部センサアームの実施形態を示す図である。図９に示したように、前額部センサアーム９１０は、電極信号センサ９２０を含む。一実施形態において、前額部センサアーム９１０は、柔軟性を有すると共に、電気信号センサ９２０を使用者の前額部の皮膚との密接かつ安定した継続的接触状態に維持するために十分な弾力性を有する。一実施形態において、電極信号センサ９２０は、曲線輪郭電極（例えば、図４に示した電極セット４２０）である。
【００３３】
図１０は、センサヘッドセットの実施形態を示す図である。図１０に示したように、センサヘッドセット１０００は、電極信号センサ７２０を含む前額部センサアーム１０１０を備える。一実施形態において、前額部センサアーム１０１０は、柔軟性を有すると共に、電気信号センサ１０２０を使用者の前額部の皮膚との密接かつ安定した継続的接触状態に維持するために十分な弾力性を有する。センサヘッドセット１０００は、さらに、様々なヘッドセット制御部（例えば、電源オン／オフボタンおよび他のヘッドセット制御部）１０３０を含み、様々な音声制御部（例えば、再生、ポーズ、巻き戻し、および早送り）１０４０を含む。一実施形態において、電気信号センサ１０２０は、曲線輪郭電極（例えば、図４に示した電極セット４２０）である。一実施形態において、センサヘッドセットでは、曲線輪郭電極がイヤピース内に一体化される。
【００３４】
以上、理解を明確にする目的から、ある程度詳細に実施形態を説明してきたが、本発明は、記載した詳細に限定されない。本発明を実現する方法は他に多数存在する。開示した実施形態は、例示的であって、限定的なものではない。
たとえば、本発明は以下のような態様で実現することもできる。
［適用例１］生体電気信号センサ用装置であって、
旋回および回転可能なホルダと、
前記ホルダに接続された曲線輪郭生体電気信号センサであって、突形状の電極を含む曲線輪郭生体電気信号センサと、を備える生体電気信号センサ用装置。
［適用例２］適用例１の生体電気信号センサ用装置であって、さらに、
前記ホルダが接続されたヘッドセットを備える、生体電気信号センサ用装置。
［適用例３］適用例１の生体電気信号センサ用装置であって、さらに
前記ホルダが接続されたヘッドセットであって、音声スピーカおよび複数の音声制御部を含むヘッドセットを備える、生体電気信号センサ用装置。
［適用例４］適用例１の生体電気信号センサ用装置であって、さらに、
音声スピーカおよび複数の音声制御部を含むと共に、前記ホルダが一体化された構成要素であるヘッドセットを備える、生体電気信号センサ用装置。
［適用例５］適用例１の生体電気信号センサ用装置であって、さらに、
ヘッドセットを備え、
前記ホルダが前記ヘッドセットのイヤピースに一体化されている、生体電気信号センサ用装置。
［適用例６］適用例１の生体電気信号センサ用装置であって、
前記ホルダは、フレキシブルアームに接続され、
前記フレキシブルアームは、ヘッドセットに接続される、生体電気信号センサ用装置。
［適用例７］適用例１の生体電気信号センサ用装置であって、
前記曲線輪郭電極は成形電極である、生体電気信号センサ用装置。
［適用例８］適用例１の生体電気信号センサ用装置であって、
前記曲線輪郭電極は成形電極であり、
前記電極の形状は、球面形状、半球面形状、四分の一球面形状、しずく状、楕円状、および長方形状から選択される、生体電気信号センサ用装置。
［適用例９］適用例１の生体電気信号センサ用装置であって、さらに、
乾式電極である前記曲線輪郭成形電極を含む電極セットを備え、
前記電極セットは、さらに
導電性付勢機構、開口部、および接続部を有する基部と、
キャップ部と、前記キャップ部に接続され保持用隆起部を有するポスト部と、を有する導電性電極と、を含み、
前記電極は、前記基部の前記開口部に挿入され、
前記電極は、前記保持用隆起部により前記基部内に解放可能に保持され、
前記電極は、前記基部の前記開口部内において旋回および回転可能であり、
前記電極により検出された信号は、前記導電性電極および前記導電性付勢機構を通過して前記接続部に至る、生体電気信号センサ用装置。
［適用例１０］適用例１の生体電気信号センサ用装置であって、さらに、
乾式電極である前記曲線輪郭成形電極を含む電極セットを備え、
前記電極セットは、さらに
導電性付勢機構、開口部、および接続部を有する基部と、
キャップ部と、前記キャップ部に接続され保持用隆起部を有するポスト部と、を有する導電性電極と、を含み、
前記電極は、前記基部の前記開口部に挿入され、前記電極は、前記保持用隆起部により前記基部内に解放可能に保持され、
前記電極は、前記基部の前記開口部内において旋回および回転可能であり、
前記電極により検出された信号は、前記導電性電極および前記導電性付勢機構を通過して前記接続部に至り、
前記導電性電極は、交換可能である、生体電気信号センサ用装置。
［適用例１１］適用例１の生体電気信号センサ用装置であって、さらに、
乾式電極である前記曲線輪郭成形電極を含む電極セットを備え、
前記電極セットは、さらに
開口部および接続部を有する基部と、
キャップ部と、前記キャップ部に接続され螺旋ネジ山を有するポスト部と、を有する導電性電極と、を含み、
前記電極は、前記基部の前記開口部にねじ込まれ、
前記電極は、前記基部の前記開口部内の保持用螺旋ネジ山により、前記基部内に、解放可能に保持され、
前記電極により検出された信号は、前記導電性電極キャップを通過して前記ポストに至り、さらに、前記基部を通過して前記接続部に至る、生体電気信号センサ用装置。
［適用例１２］適用例１の生体電気信号センサ用装置であって、
前記曲線輪郭電極は、導電性繊維を含む、生体電気信号センサ用装置。
［適用例１３］適用例１の生体電気信号センサ用装置であって、さらに、
導電性繊維を含む前記曲線輪郭成形電極を含む電極セットを備え、
前記電極セットは、さらに
前記導電性繊維に周囲を覆われた曲線輪郭形状を有する基部と
前記導電性繊維を接続線に接続する電気接続部と、を含み、
前記電気接続部は、前記導電性繊維を前記接続線に接続する金属台部、金属ワイヤループ、または糸結束ポスト付き導電糸等である、生体電気信号センサ用装置。
［適用例１４］適用例１の生体電気信号センサ用装置であって、さらに、
導電性繊維を含む前記曲線輪郭成形電極を含む電極セットを備え、
前記電極セットは、さらに
前記導電性繊維に周囲を覆われた曲線輪郭形状を有する基部と
前記導電性繊維を接続線に接続する電気接続部と、を含み、
前記電気接続部は、前記導電性繊維を前記接続線に接続する、金属台部、金属ワイヤループ、および糸結束ポスト付き導電糸の集合から選択される、生体電気信号センサ用装置。
［適用例１５］生体電気信号センサ用装置であって、
一個以上の生体電気信号センサを収容するホルダと、
前記ホルダに接続された生体電気信号センサと、
前記ホルダとの接続のためのネジおよびナットを含む電極組立体と、を備える生体電気信号センサ用装置。
［適用例１６］適用例１５の生体電気信号センサ用装置であって、さらに、
音声スピーカおよび複数の音声制御部を含むと共に、前記ホルダが一体化された構成要素であるヘッドセットを備える、生体電気信号センサ用装置。
［適用例１７］適用例１５の生体電気信号センサ用装置であって、さらに、
ヘッドセットを備え、
前記ホルダが前記ヘッドセットのイヤピースに一体化されている、生体電気信号センサ用装置。
［適用例１８］適用例１５の生体電気信号センサ用装置であって、
前記電極は曲線輪郭電極である、生体電気信号センサ用装置。
［適用例１９］適用例１５の生体電気信号センサ用装置であって、
前記電極は曲線輪郭電極であり、
前記電極の形状は、球面形状、半球面形状、四分の一球面形状、しずく状、楕円状、および長方形状から選択され、
前記成形電極は、導電性繊維を含む、生体電気信号センサ用装置。
［適用例２０］適用例１５の生体電気信号センサ用装置であって、
前記電極組立体は、さらに、
乾式電極である前記電極を含む電極セットを備え、
前記電極セットは、さらに
開口部および接続部を有する基部と、
キャップ部と、前記キャップ部に接続され螺旋ネジ山を有するポスト部と、を有する導電性電極と、を含み、
前記電極は、前記基部の前記開口部にねじ込まれ、
前記電極は、前記基部の前記開口部内の保持用螺旋ネジ山により、前記基部内に、解放可能に保持され、
前記電極により検出された信号は、前記導電性電極キャップを通過して前記ポストに至り、さらに、前記基部を通過して前記接続部に至る、生体電気信号センサ用装置。
【図１】
0005798920.tif 000002
【図２】
0005798920.tif 000003
【図３】
0005798920.tif 000004
【図４】
0005798920.tif 000005
【図５】
0005798920.tif 000006
【図６】
0005798920.tif 000007
【図７】
0005798920.tif 000008
【図８】
0005798920.tif 000009
【図９】
0005798920.tif 000010
【図１０】
0005798920.tif 000011